(57)【特許請求の範囲】
【請求項１】
機器本体の外面に形成された凹部に着脱される直方体の情報記録装置と、該情報記録装置に取り付けられるレバーとを有する情報記録装置の着脱構造であって、
前記情報記録装置は、
第１の側面に設けられ、前記機器本体に設けられて外部に露出したコネクタと相互に接続されるコネクタを有し、
前記レバーは、
第１の端部が、前記情報記録装置における第１の側面と垂直をなす第２の側面のいずれかに回動可能に取り付けられ、第２の端部が、前記第２の側面であって、且つ、前記第１の端部が取り付けられた面と対向する面に回動可能に取り付けられ、
前記レバーは、未使用時に、前記第１の端部と前記第２の端部との間の中央部が前記情報記録装置の第１の側面と前記凹部の側面との間を覆う情報記録装置の着脱構造。
【請求項２】
前記情報記録装置は、前記凹部への取り付け時における露出面の高さが前記凹部の開口端と同一又は前記凹部の開口端よりも該凹部の底部側であり、
前記レバーは、未使用時の露出面の高さが前記凹部の開口端と同一又は前記凹部の開口端よりも該凹部の底部側である請求項１記載の情報記録装置の着脱構造。
【請求項３】
前記情報記録装置は、
前記第２の側面の一方に設けられる第１の凸部に形成され、前記情報記録装置を前記機器本体に固定するためのネジが貫通する第１のネジ穴と、
前記第２の側面の他方に設けられる第２の凸部に形成され、前記情報記録装置を前記機器本体に固定するためのネジが貫通する第２のネジ穴とを有し、
前記レバーは、
前記第１の端部において、未使用時に前記第１のネジ穴と重なる位置に形成される第３のネジ穴と、
前記第２の端部において、未使用時に前記第２のネジ穴と重なる位置に形成される第４のネジ穴とを有する請求項１または２記載の情報記録装置の着脱構造。
【請求項４】
前記情報記録装置は、記録媒体本体と、該記録媒体本体を収容するケース体とを有し、
前記ケース体は、
前記記録媒体本体を固定するためのネジが貫通する第３のネジ穴を有し、
前記レバーは、
前記第１の端部に形成され、前記記録媒体本体を固定するためのネジの頭部が嵌合する第１の貫通孔と、
前記第２の端部に形成され、前記記録媒体本体を固定するためのネジの頭部が嵌合する第２の貫通孔とを有し、
前記ネジの頭部を回動軸として回動可能である請求項１乃至３のいずれかに記載の情報記録装置の着脱構造。
【請求項５】
前記レバーは、前記中央部の端部に形成される切欠部を有する請求項１乃至４のいずれかに記載の情報記録装置の着脱構造。
【請求項６】
前記情報記録装置は、
前記第１の側面と対向する第３の側面に設けられ、前記凹部の深部と浅部との間の稜線部に形成された穴に挿入される第３の凸部を有する請求項１乃至５のいずれかに記載の情報記録装置の着脱構造。
【請求項７】
前記情報記録装置は、
前記第３の側面に設けられ、前記凹部の浅部に接する第４の凸部を有する請求項６に記載の情報記録装置の着脱構造。
【請求項８】
前記情報記録装置は、ハードディスク又はメモリドライブを有する請求項１乃至７のいずれかに記載の情報記録装置の着脱構造。
【発明の詳細な説明】
【技術分野】
【０００１】
本発明は、機器本体の外面に形成された凹部に着脱される直方体の情報記録装置と、該情報記録装置に取り付けられるレバーとを有する情報記録装置の着脱構造に関する。
【背景技術】
【０００２】
近年、各種の電子機器は、製品の高機能化に伴い、記録装置を内蔵するものが増加している。例えば、車載機器では、オーディオビジュアル機器やナビゲーション機器において、膨大な音楽データ、映像データ、地図データ等を必要とするため、ハードディスクドライブ（ＨＤＤ）を内蔵させている。但し、ＨＤＤは、耐衝撃性が低く、修理交換が行われることが多いため、機器を分解することなく、ＨＤＤを内蔵するハードディスクユニットの機器本体への取り付け及び取り外しの可能な構造が要求される。
【０００３】
機器を分解することなく、ハードディスクユニットの機器本体への取り付け及び取り外しを可能とした構造としては、例えば、ハードディスクユニットを板金のトレーに装着させ、当該トレーのスライド動作をガイドする金属板を機器本体に設置する。また、ＰＥＴ等のフィルムにより形成されたタブを両面テープ等によりトレーに貼付する。そして、取り付け時には、トレーを機器本体へ押し込むことでハードディスクユニットと機器本体との電気的接続を行い、更にネジ止めによりハードディスクユニットを機器本体へ固定する。一方取り外し時には、タブを掴み引き出すことで、トレーを機器本体から引き出し、当該トレーに装着されたハードディスクユニットを取り出す（例えば、特許文献１参照）。
【特許文献１】特開２００６−１８５５７１号公報
【発明の開示】
【発明が解決しようとする課題】
【０００４】
しかしながら、上述した構造では、トレーのがたつきを抑え、相当数の着脱回数に耐えるよう、トレーにバネ構造を持たせたり、トレーの材質にステンレスを採用して変形強度を確保するとともに、トレーにタブを貼付するため、構造が複雑になる。また、ハードディスクユニットと機器本体との電気的接続を行うためにこれらに設けられるコネクタは、取り付け時には機器本体内部の奥で互いに接続されるため、作業者は、確実に接続されたか否かを視認することができず、その結果、接続時に必要以上の衝撃力を加えてしまう場合がある。
【０００５】
本発明の目的は、上述した事情に鑑みてなされたものであり、簡易な構造で適切に機器本体に対する取り付け及び取り外しが可能な情報記録装置の着脱構造を提供するものである。
【課題を解決するための手段】
【０００６】
本発明に係る、機器本体の外面に形成された凹部に着脱される直方体の情報記録装置と、該情報記録装置に取り付けられるレバーとを有する情報記録装置の着脱構造は、前記情報記録装置が、第１の側面に設けられ、前記機器本体に設けられて外部に露出したコネクタと相互に接続されるコネクタを有し、前記レバーが、第１の端部が、前記情報記録装置における第１の側面と垂直をなす第２の側面の一方に回動可能に取り付けられ、第２の端部が、前記情報記録装置における前記第１の側面と垂直をなす第２の側面の他方に回動可能に取り付けられ、前記レバーは、未使用時に、前記第１の端部と前記第２の端部との間の中央部が前記情報記録装置の第１の側面と前記凹部の側面との間を覆う。
【０００７】
この構成によれば、情報記録装置の対向する２つの側面にレバーの端部を回動可能に取り付けられており、構造が簡易である。また、作業者がレバーを回動させ、更に引き上げるだけで、機器本体の外面に形成された凹部に対する情報記録装置の取り付け及び取り外しが可能である。また、情報記録装置の側面に設けられたコネクタを、機器本体に設けられて外部に露出したコネクタと相互に接続する際には、その接続部分が外部に露出しているため、作業者は、確実に接続されたか否かを視認することができ、接続時に必要以上の衝撃力を加えてしまうこともない。
【０００９】
そして、ハードディスクが機器本体に取り付けられた後は、レバーによって、情報記録装置の第１の側面と凹部の側面との間を覆うことにより、コネクタの接続部分が外部に晒されて塵等が付着し、電気的接続が不良となることが抑制される。
【００１０】
また、本発明に係る情報記録装置の着脱構造は、前記情報記録装置が、前記凹部への取り付け時における露出面の高さが前記凹部の開口端と同一又は前記凹部の開口端よりも該凹部の底部側であり、前記レバーが、未使用時の露出面の高さが前記凹部の開口端と同一又は前記凹部の開口端よりも該凹部の底部側である。
【００１１】
この構成によれば、レバーの未使用時には、当該レバーと情報記録装置とが凹部の開口端から突出しないため、機器本体を車両等に取り付ける場合等において、レバーや情報記録装置が障害となることが防止される。
【００１２】
また、本発明に係る情報記録装置の着脱構造は、前記情報記録装置が、前記第２の側面の一方に設けられる第１の凸部に形成され、前記情報記録装置を前記機器本体に固定するためのネジが貫通する第１のネジ穴と、前記第２の側面の他方に設けられる第２の凸部に形成され、前記情報記録装置を前記機器本体に固定するためのネジが貫通する第２のネジ穴とを有し、前記レバーが、前記第１の端部において、未使用時に前記第１のネジ穴と重なる位置に形成される第３のネジ穴と、前記第２の端部において、未使用時に前記第２のネジ穴と重なる位置に形成される第４のネジ穴とを有する。
【００１３】
この構成によれば、情報記録装置のネジ穴とレバーの未使用時のネジ穴とが重なるようにすることで、情報記録装置を前記機器本体に固定するためのネジを、未使用時のレバーを情報記録装置及び機器本体に固定するためにも用いることができ、レバーの固定のために別途ネジ穴及びネジを用いる必要がなく、コストが低減される。
【００１４】
また、本発明に係る情報記録装置の着脱構造は、前記情報記録装置が、記録媒体本体と、該記録媒体本体を収容するケース体とを有し、前記ケース体が、前記記録媒体本体を固定するためのネジが貫通する第３のネジ穴を有し、前記レバーが、前記第１の端部に形成され、前記記録媒体本体を固定するためのネジの頭部が嵌合する第１の貫通孔と、前記第２の端部に形成され、前記記録媒体本体を固定するためのネジの頭部が嵌合する第２の貫通孔とを有し、前記ネジの頭部を回動軸として回動可能である。
【００１５】
この構成によれば、記録媒体本体を固定するためのネジの頭部をレバーの貫通孔に嵌合させて、当該ネジをレバーの回動軸としても用いられるようにすることにより、別途回動軸を設ける必要がない。
【００１６】
また、本発明に係る情報記録装置の着脱構造は、前記レバーが、前記中央部の端部に形成される切欠部を有する。
【００１７】
この構成によれば、作業者が切欠部に指を当ててレバーの回動操作を行うことで、当該レバーを回動させやすくすることができる。
【００１８】
また、本発明に係る情報記録装置の着脱構造は、前記情報記録装置が、前記第１の側面と対向する第３の側面に設けられ、前記凹部の深部と浅部との間の稜線部に形成された穴に挿入される第２の凸部を有する。
【００１９】
この構成によれば、第３の凸部が凹部に形成された穴に挿入されていることで、情報記録装置の取り外し時にレバーを引き上げる際に、必要以上に情報記録装置が引き上げられて、コネクタの接続部分が破壊されてしまうようなことが防止される。
【００２０】
同様の観点から、本発明に係る情報記録装置の着脱構造は、前記情報記録装置が、前記第３の側面に設けられ、前記凹部の浅部に接する第４の凸部を有する。
【００２１】
また、本発明に係る情報記録装置の着脱構造は、前記情報記録装置が、ハードディスク又はメモリドライブを有する。
【発明の効果】
【００２２】
本発明によれば、簡易な構造で、且つ、作業者は、レバーを持ち上げるだけで、機器本体の外面に形成された凹部に対して情報記録装置を取り付けたり、取り外すことが可能であり、更には、コネクタが確実に接続されたか否かを視認することができ、接続時に必要以上の衝撃力を加えてしまうこともなく、機器本体に対する情報記録装置の取り付け及び取り外しを簡易に行うことができる。
【発明を実施するための最良の形態】
【００２３】
以下、本発明の実施の形態について、図面を参照して具体的に説明する。図１は、本発明の実施の形態に係る情報記録装置としてのハードディスクユニットの着脱構造を適用した車載オーディオ機器の外観斜視図である。
【００２４】
図１に示す車載オーディオ機器１０は、デジタルバーサタイルディスク（ＤＶＤ）やコンパクトディスク（ＣＤ）を再生するものであり、機器本体１２と、当該機器本体１２の外面に形成された凹部１４に着脱され、図示しないＨＤＤを内蔵する直方体のハードディスクユニット１００と、当該ハードディスクユニット１００に取り付けられるレバー２００とにより構成される。
【００２５】
図２は、レバー２００の未使用時（レバー２００の非屹立時）における、ハードディスクユニット１００及びレバー２００の外観斜視図、図３は、レバー２００の未使用時における、ハードディスクユニット１００及びレバー２００の側面図、図４は、ハードディスクユニット１００の分解斜視図、図５は、レバー２００の使用時（レバー２００の屹立時）における、ハードディスクユニット１００及びレバー２００の第１の外観斜視図、図６は、レバー２００の使用時における、ハードディスクユニット１００及びレバー２００の第２の外観斜視図、図７は、レバー２００の使用時における、ハードディスクユニット１００及びレバー２００の側面図である。
【００２６】
これら図２乃至図７に示すように、ハードディスクユニット１００は、曲げ加工により形成されるケース体としての板金ケース１７０に、記録媒体本体であるハードディスクドライブ（ＨＤＤ）１８０が収容されて構成される。ＨＤＤ１８０の側面１８１には、ネジ穴１８４及び１８５が形成されている。この側面１８１には、第１の側面に対応する表面にコネクタ１１０が設けられた基板１０１が配置される。この基板１０１には、ネジ穴１８４と重なるネジ穴１９１と、ネジ穴１８５と重なるネジ穴１９２とが形成されている。ネジ１９３がネジ穴１９１及び１８４を貫通して締結され、ネジ１９４がネジ穴１９２及び１８５を貫通して締結されることにより、基板１０１がＨＤＤ１８０に固定される。
【００２７】
また、ＨＤＤ１８０の側面のうち、側面１８１と垂直をなす側面１８２には、ネジ穴１８６及び１８７が形成され、当該側面１８２に対向する側面１８３には、ネジ穴１８８及び１８９が形成されている。
【００２８】
一方、板金ケース１７０の第２の側面に対応する側面１０２には、ネジ穴１７１及び１７２が形成され、第２の側面に対応し、側面１０２に対向する側面１０３には、ネジ穴１７３及び１７４が形成されている。この板金ケース１７０にＨＤＤ１８０が収容されると、ネジ穴１７１はネジ穴１８６と重なり、ネジ穴１７２はネジ穴１８７と重なる。また、ネジ穴１７３はネジ穴１８８と重なり、ネジ穴１７４はネジ穴１８９と重なる。ネジ２５０がネジ穴１７１及び１８６を貫通して締結され、ネジ２５１がネジ穴１７２及び１８７を貫通して締結されるとともに、ネジ２６０がネジ穴１７３及び１８８を貫通して締結され、ネジ２６１がネジ穴１８４及び１８９を貫通して締結されることにより、ＨＤＤ１８０が板金ケース１７０に固定される。また、板金ケース１７０の側面１０２及び１０３は、基板１０１の表面に対して垂直をなす。
【００２９】
レバー２００は、中央部のバー２０２と、第１の端部に対応する端部２１０と、第２の端部に対応する端部２２０とからなる。
【００３０】
このレバー２００の中央部２０２の一端には、切欠部２０４が形成され、他端には、切欠部２０６が形成されている。また、レバー２００の端部２１０には、水平方向に貫通する第１の貫通孔に対応する貫通孔２１２が形成されている。ネジ２５０の頭部は、この貫通孔２１２に嵌合する。これにより、端部２１０は、ネジ２５０を回動軸として、ハードディスクユニット１００の側面１０２に回動可能に取り付けられる。同様に、レバー２００の端部２２０には、水平方向に貫通する第２の貫通孔に対応する貫通孔２２２が形成されている。ネジ２６０の頭部は、この貫通孔２２２に嵌合する。これにより、端部２２０は、ネジ２６０を回動軸として、ハードディスクユニット１００の側面１０３に回動可能に取り付けられる。
【００３１】
また、ハードディスク１００の側面１０２における基板１０１側の端部には、主面が水平方向である第１の凸部に対応するフランジ１４０が設けられている。このフランジ１４０には、垂直方向に貫通する第１のネジ穴に対応するネジ穴１４２が形成されている。同様に、ハードディスク１００の側面１０３における基板１０１側の端部には、主面が水平方向である第２の凸部に対応するフランジ１５０が設けられている。このフランジ１５０には、垂直方向に貫通する第２のネジ穴に対応するネジ穴１５２が形成されている。
【００３２】
一方、レバー２００の端部２１０には第３のネジ穴に対応するネジ穴２１４が形成され、端部２２０には第４のネジ穴に対応するネジ穴２２４が形成されている。ネジ穴２１４は、レバー２００の未使用時に、貫通方向が垂直方向となって、上述したハードディスクユニット１００におけるフランジ１４０に形成されたネジ穴１４２と重なるような位置に形成されている。同様に、ネジ穴２２４は、レバー２００の未使用時に、貫通方向が垂直方向となって、上述したハードディスクユニット１００におけるフランジ１５０に形成されたネジ穴１５２と重なるような位置に形成されている。
【００３３】
また、ハードディスクユニット１００の第３の側面である側面１０４には、中央部に主面が水平方向に延在する第３の凸部に対応する凸部１６０が設けられている。更に、この凸部１６０の両側であって、当該凸部１６０よりも上側には、主面が水平方向に延在する第４の凸部に対応する凸部１２０及び凸部１３０が形成されている。凸部１２０には、垂直方向に貫通するネジ穴１２２が形成され、同様に、凸部１３０には、垂直方向に貫通するネジ穴１３２が形成されている。
【００３４】
図８は、機器本体１２の外面に形成された凹部１４の外観斜視図である。この凹部１４は、浅い部分（浅部）２１−１と深い部分（深部）２１−２からなる。また、凹部１４の四隅のうち、深部２１−２に該当する２つの位置には、ネジ穴１６及び１８が形成され、浅部２１−１に該当する２つの位置には、ネジ穴２２及び２４が形成されている。更には、凹部１４における浅部２１−１と深部２１−２との間の稜線部１９の中央部には、穴２０が形成されている。なお、稜線部１９は曲げが形成されており、作業者の指当たり等に配慮している。
【００３５】
次に、機器本体１２へのハードディスクユニット１００の取り付け工程を説明する。図９は、機器本体１２へのハードディスクユニット１００の取り付けの第１の工程を示す図、図１０は第２の工程を示す図、図１１は第３の工程を示す図である。
【００３６】
図９に示す第１の工程では、作業者によって支持されたレバー２００が使用されて引き上げられた状態にあり、ハードディスクユニット１００は、基板１０１が上方側、当該基板１０１に対向する側面１０４（図９では図示せず）が下方側となるように傾斜して配置される。また、ハードディスクユニット１００の側面１０４の中央部に設けられた凸部１６０（図９では図示せず）が凹部１４における浅部２１−１と深部２１−２との間の稜線部１９の中央部に形成された穴２０（図９では図示せず）に挿入されるとともに、ハードディスクユニット１００の側面１０４に設けられた凸部１２０及び１３０が浅部２１−１（図９では図示せず）の上面に接した状態となる。
【００３７】
更には、ハードディスクユニット１００の基板１０１に設けられたコネクタ１１０は、外部に露出したコネクタ２６と接続されている。コネクタ２６は、機器本体１２の内部から引き出されたフレキシブルケーブル２８に接続されており、コネクタ１１０とコネクタ２６とが相互に接続されることにより、ハードディスクユニット１１０と機器本体１２とが電気的に接続される。
【００３８】
図１０に示す第２の工程では、作業者がレバー２００を持ち下げることによって、当該レバー２００に接続されたハードディスクユニット１００が傾斜した状態から水平状態となり、当該ハードディスクユニット１００は、凹部１４内に収容される。このとき、ハードディスクユニット１００の露出面である上面の高さは、凹部１４の開口端と同一、又は、凹部１４の開口端よりも当該凹部１４の底部側であり、ハードディスクユニット１００が凹部１４の開口端から突出しないようになっている。
【００３９】
また、ハードディスクユニット１００に設けられたフランジ１４０に形成されたネジ穴１４２は、凹部１４に形成されたネジ穴１６と重なり、ハードディスクユニット１００に設けられたフランジ１５０に形成されたネジ穴１５２は、凹部１４に形成されたネジ穴１８と重なる。更には、ハードディスクユニット１００に設けられた凸部１２０に形成されたネジ穴１２２は、凹部１４に形成されたネジ穴２２と重なり、ハードディスクユニット１００に設けられた凸部１３０に形成されたネジ穴１３２は、凹部１４に形成されたネジ穴２４と重なる。
【００４０】
図１１に示す第３の工程では、作業者がレバー２００を回動させることによって、当該レバー２００の端部２１０に形成されたネジ穴２１４の貫通方向が垂直方向となり、当該ネジ穴２１４が、ハードディスクユニット１００に設けられたフランジ１４０に形成されたネジ穴１４２と重なる。同様に、レバー２００の端部２２０に形成されたネジ穴２２４の貫通方向が垂直方向となり、当該ネジ穴２２４が、ハードディスクユニット１００に設けられたフランジ１５０に形成されたネジ穴１５２と重なる。
【００４１】
上述した第２の工程では、凹部１４に形成されたネジ穴１６と、ハードディスクユニット１００に設けられたフランジ１４０に形成されたネジ穴１４２とが重ねられるとともに、凹部１４に形成されたネジ穴１８と、ハードディスクユニット１００に設けられたフランジ１５０に形成されたネジ穴１５２とが重ねられている。従って、第３の工程において、ネジ穴１６、１４２及び２１４が重なり、ネジ穴１８、１５２及び２２４が重なることになる。
【００４２】
更に、ネジ３１が、ネジ穴２１４、１４２及び１６を貫通して締結されることにより、当該ネジ３１の位置において、レバー２００、ハードディスクユニット１００及び機器本体１２に共締めされて固定される。同様に、ネジ３２が、ネジ穴２２４、１５２及び１８を貫通して締結されることにより、当該ネジ３２の位置において、レバー２００、ハードディスクユニット１００及び機器本体１２に共締めされて固定される。このとき、レバー２００の露出面である上面の高さは、凹部１４の開口端と同一、又は、凹部１４の開口端よりも当該凹部１４の底部側であり、レバー２００が凹部１４の開口端から突出しないようになっている。また、レバー２００の中央部２０２は、ハードディスクユニット１００の基板１０１と凹部１４の側面との間を覆うように配置される。
【００４３】
また、ネジ３３が、ネジ穴１２２及び２２を貫通して締結されることにより、当該ネジ３３の位置において、ハードディスクユニット１００が機器本体１２に共締めされて固定される。同様に、ネジ３４が、ネジ穴１３２及び２４を貫通して締結されることにより、当該ネジ３４の位置において、ハードディスクユニット１００が機器本体１２に共締めされて固定される。
【００４４】
次に、機器本体１２からのハードディスクユニット１００の取り外し工程を説明する。取り外し工程は、上述した図９乃至図１１の取り付け工程を逆にたどることになる。すなわち、図１１に示す第１の工程では、ネジ３１乃至３４が外される。次に、図１０に示す第２の工程では、ネジ３１及び３２が外されることによって、回動可能となったレバー２００が作業者によって回動される。このとき、作業者は指を切欠部２０４や切欠部２０６に当ててレバー２００の回動操作を行う。また、本工程では、ハードディスクユニット１００に設けられた凸部１６０が凹部１４に形成された穴２０に挿入されたままの状態であり、ハードディスクユニット１００に設けられた凸部１２０及び１３０は、凹部１４の浅部２１−１に接したままの状態である。
【００４５】
図９に示す第３の工程では、凸部１６０が穴２０に挿入されたままの状態であり、凸部１２０及び１３０が浅部２１−１に接したままの状態であるため、作業者によってレバー２００が引き上げられると、フレキシブルケーブル２８が引き出されるとともに、ハードディスクユニット１００は、凸部１２０、１３０及び１６０が設けられた側面１０４を回動軸として回動する。但し、この回動量が所定量に達すると、凹部１４の穴２０に挿入されている凸部１６０が浅部２１−１を下方から押圧し、凸部１２０及び１３０が浅部２１−１を上方から押圧した状態となり、ハードディスクユニット１００が更に回動することが防止される。その後は、ハードディスクユニット１００のコネクタ１１０がコネクタ２６から取り外されることにより、ハードディスクユニット１００が機器本体１２から取り外されることになる。
【００４６】
このように、車載オーディオ機器１０では、機器本体１２の外面に形成された凹部１４にハードディスクユニット１００が着脱され、当該ハードディスクユニット１００の側面１０２に、レバー２００の端部２１０が回動可能に取り付けられるとともに、ハードディスクユニット１００の側面１０３に、レバー２００の端部２２０が回動可能に取り付けられており、構造が簡易であり、作業者は、レバー２００を回動させ、更に引き上げるだけで、凹部１４に対してハードディスクユニット１００を取り付けたり、取り外すことが可能である。また、ハードディスクユニット１００の基板１０１に設けられたコネクタ１１０を、機器本体１２に設けられて外部に露出したコネクタ２６と相互に接続する際には、その接続部分が外部に露出しているため、作業者は、確実に接続されたか否かを視認することができ、接続時に必要以上の衝撃力を加えてしまうこともない。
【００４７】
また、レバー２００の中央部２０２は、未使用時にハードディスクユニット１００の基板１０１と凹部１４の側面との間を覆うように配置されるため、コネクタ１１０及び２６の接続部分が外部に晒されて塵等が付着し、電気的接続が不良となることが抑制される。
【００４８】
また、ハードディスクユニット１００は、凹部１４の開口端から突出せず、レバー２００は、未使用時には凹部１４の開口端から突出しないため、機器本体１２を車両等に取り付ける場合等において、レバー２００やハードディスクユニット１００が障害となることが防止される。
【００４９】
また、ハードディスクユニット１００のネジ穴１２０とレバー２００の未使用時のネジ穴２１４とが重なるようにし、ハードディスクユニット１００のネジ穴１５２とレバー２００の未使用時のネジ穴２２４とが重なるようにすることで、ハードディスクユニット１００を機器本体１２に固定するためのネジ２１及び３２を、未使用時のレバー２００をハードディスクユニット１００及び機器本体１２に固定するためにも用いることができ、レバー２００の固定のために別途ネジ穴及びネジを用いる必要がなく、コストが低減される。
【００５０】
また、レバー２００の中央部２０２の端部に切欠部２０４及び２０６を形成することにより、作業者がこれら切欠部２０４及び２０６に指を当ててレバー２００の回動操作を行うことで、当該レバー２００を回動させやすくすることができる。
【００５１】
また、ハードディスクユニット１００の側面１０４に、凹部１４の穴２０に挿入される凸部１６０と、凹部１４の浅部２１−１に接する凸部１２０及び１３０を設けることにより、ハードディスクユニット１００の取り外し時にレバー２００を引き上げる際、一時的なストッパ機能を有することとなり、一度に必要以上にハードディスクユニット１００が引き上げられて、フレキシブルケーブル２８が切断したり、コネクタ１１０及び２６の接続部分が破壊されてしまうようなことが防止される。
【００５２】
なお、上述した実施形態では、車載オーディオ機器１０におけるハードディスクユニット１００の着脱構造について説明したが、メモリドライブ等を有する情報記録装置についても、上述と同様の着脱構造を適用することができる。
【産業上の利用可能性】
【００５３】
以上、説明したように、本発明に係る情報記録装置の着脱構造は、簡易に機器本体に対する取り付け及び取り外しが可能であり、情報記録装置の着脱構造として有用である。
【図面の簡単な説明】
【００５４】
【図１】ハードディスクユニットの着脱構造を適用した車載オーディオ機器の外観斜視図である。
【図２】レバーの未使用時における、ハードディスクユニット及びレバーの外観斜視図である。
【図３】レバーの未使用時における、ハードディスクユニット及びレバーの側面図である。
【図４】ハードディスクユニットの分解斜視図である。
【図５】レバーの使用時における、ハードディスクユニット及びレバーの第１の外観斜視図である。
【図６】レバーの使用時における、ハードディスクユニット及びレバーの第２の外観斜視図である。
【図７】レバーの使用時における、ハードディスクユニット及びレバーの側面図である。
【図８】機器本体の外面に形成された凹部の外観斜視図である。
【図９】機器本体に対するハードディスクユニットの取り付けの第１の工程、及び、取り外しの第３の工程を示す図である。
【図１０】機器本体に対するハードディスクユニットの取り付けの第２の工程、及び、取り外しの第２の工程を示す図である。
【図１１】機器本体に対するハードディスクユニットの取り付けの第３の工程、及び、取り外しの第１の工程を示す図である。
【符号の説明】
【００５５】
１０  車載オーディオ機器
１２  機器本体
１４  凹部
１６、１８、２２、２４、１２２、１３２、１４２、１５２、１７１、１７２、１７３、１７４、１８４、１８５、１８６、１８７、１８８、１８９、１９１、１９２、２１４、２２４  ネジ穴
１９  稜線部
２０  穴
２１−１  浅部
２１−２  深部
２６  コネクタ
２８  フレキシブルケーブル
３１、３２、３３、３４、１９３、１９４、２５０、２５１、２６０、２６１  ネジ
１００  ハードディスクユニット
１０１  基板
１０２、１０３、１０４、１８１、１８２、１８３  側面
１１０  コネクタ
１２０、１３０、１６０  凸部
１４０、１５０  フランジ
１７０  板金ケース
１８０  ハードディスクドライブ（ＨＤＤ）
２００  レバー
２０２  中央部
２０４、２０６  切欠部
２１０、２２０  端部
１２２、２２２  貫通孔
【図１】
0005344537.tif 000002
【図２】
0005344537.tif 000003
【図３】
0005344537.tif 000004
【図４】
0005344537.tif 000005
【図５】
0005344537.tif 000006
【図６】
0005344537.tif 000007
【図７】
0005344537.tif 000008
【図８】
0005344537.tif 000009
【図９】
0005344537.tif 000010
【図１０】
0005344537.tif 000011
【図１１】
0005344537.tif 000012